(57)【要約】【課題】複数色の超高輝度薄型チップのＬＥＤ素子を用い、派手な発光状態をつくることで遠くからでも目に付き易くなり、安全衣類や各種安全具として広範に用いることができる発光標識体を提供する。【解決手段】表面側に発光色の異なる複数の超高輝度薄型チップのＬＥＤ素子３を配置した反射ベルト２の背面側に、前記各ＬＥＤ素子３を点滅させるための点滅回路５及び電源６と各ＬＥＤ素子３を電気的に接続するフレキシブル基板４を重ねて配置し、前記反射ベルト２の表面側に透明な保護シート７と背面側にフレキシブル基板４を挟むようにして裏側シート８をそれぞれ重ね、上記保護シート７と反射ベルト２及び裏側シート８の両側縁を縫着している。【選択図】図１
2008223167.tif 000002
【特許請求の範囲】
【請求項１】
反射ベルトの表面側に発光色の異なる複数の超高輝度薄型チップのＬＥＤ素子を配置し、前記反射ベルトの背面側に前記各ＬＥＤ素子を電気的に接続するフレキシブル基板を重ねて配置し、このフレキシブル基板に各ＬＥＤ素子を点滅させるための点滅回路及び電源を電気的に接続し、前記反射ベルトの表面側に透明な保護シートと背面側にフレキシブル基板を挟むようにして裏側シートをそれぞれ重ね、上記保護シートと反射ベルト及び裏側シートの両側縁を固着した発光標識体。
【請求項２】
請求項１に記載の発光標識体を、身体に装着する着衣の外面に取付けた発光安全着衣。
【請求項３】
請求項１に記載の発光標識体を、ヘルメットの外周に取付けた発光安全ヘルメット。
【請求項４】
請求項１に記載の発光標識体を、旗の表面に取付けた発光安全旗。
【請求項５】
請求項１に記載の発光標識体を、ＥＴＣゲートの開閉バーに取付けた発光安全ゲート装置。
【発明の詳細な説明】
【技術分野】
【０００１】
この発明は、暗所や夜間における存在を明確に告知することで、交通事故等を未然に防止することができる発光標識体と、これを用いた安全着衣等の発光安全装置に関する。
【背景技術】
【０００２】
暗所や夜間において、交通整理や検問を行う警察官や交通整理作業員、工事現場で働く作業員やガードマン等を交通事故から守るために、例えば、前身頃と後身頃に複数の発光体を取付けた安全チョッキを着用し、発光体の光によってドライバーに存在を明確に告知して注意を促し、事故の発生を未然に防止することが行われている。
【０００３】
従来の安全チョッキは、前身頃と後身頃にＬＥＤ素子を用いた発光体を取付け、この発光体を点滅回路及び電源を用いて一定周期で点滅させ、この光の点滅によりドライバーの視認性を向上させるようにしている（例えば特許文献１参照）。
【特許文献１】実用新案登録第３０５１１９５号公報
【発明の開示】
【発明が解決しようとする課題】
【０００４】
ところで、従来の安全チョッキは、単色のＬＥＤ素子を用いてこれを点滅させるようにしているため、どうしても色彩的に単調なものとなり、派手さに乏しいためドライバーの視認性に欠けるという問題がある。
【０００５】
また、従来の安全チョッキは、各ＬＥＤ素子の接続にリード線を採用しているため、外圧や衝撃が加わると断線が生じることがあり、耐久性に問題がある。
【０００６】
そこでこの発明の課題は、複数色の超高輝度薄型チップのＬＥＤ素子を用い、これをランダムに点滅させることにより、派手な発光状態をつくることで遠くからでも目に付き易くなり、安全衣類や各種安全具として広範に用いることができ、しかも、配線部分に断線のおそれがない発光標識体と、これを用いた発光安全着衣や発光安全装置を提供することにある。
【課題を解決するための手段】
【０００７】
上記のような課題を解決するために、この発明の発光標識体は、反射ベルトの表面側に発光色の異なる複数の超高輝度薄型チップのＬＥＤ素子を配置し、前記反射ベルトの背面側に前記各ＬＥＤ素子を電気的に接続するフレキシブル基板を重ねて配置し、このフレキシブル基板に各ＬＥＤ素子を点滅させるための点滅回路及び電源を電気的に接続し、前記反射ベルトの表面側に透明な保護シートと背面側にフレキシブル基板を挟むようにして裏側シートをそれぞれ重ね、上記保護シートと反射ベルト及び裏側シートの両側縁を固着した構成を採用したのである。
【０００８】
上記発光標識体を用い、これを身体に装着する着衣の外面に取付けて発光安全着衣としたり、ヘルメットの外周に取付けて発光安全ヘルメットとし、更に、旗の表面に取付けて発光安全旗とすると共に、ＥＴＣゲートの開閉バーに取付けて発光安全ゲート装置とすることができる。
【０００９】
ここで、上記反射ベルトは、ベース布の表面が黄色等の反射膜となり、各ＬＥＤ素子の取付け位置に孔を設け、フレキシブル基板に取付けたＬＥＤ素子を対応する孔に嵌め込んで表面側に露出させることにより、反射ベルトの長さ方向に所定の間隔でＬＥＤ素子を発光色が異なるような配置で取付け、フレキシブル基板は、ＬＥＤ素子の発光色の種類数に等しい配線とアース配線を有し、同色のＬＥＤ素子は共通の配線に接続され、このフレキシブル基板の一端側で配線と接続した点滅回路は、電池を用いた電源からの通電をオン、オフするスイッチと発信器を備え、スイッチのオン状態で、発光色の異なるＬＥＤ素子を交互に点滅させるようになっている。
【００１０】
上記発光標識体は、帯状となる保護シートと反射ベルト及び補強用裏側シートの両側縁を飾り縁材と共に縫い合わせることによって固着され、保護シートは軟質の合成樹脂シートを用い、超高輝度薄型チップのＬＥＤ素子を外部衝撃や雨水から保護している。
【００１１】
上記発光標識体を取付けるための身体に装着する着衣としては、安全チョッキを例示することができ、前身頃と後身頃の表面に発光標識体を縫い付け、安全チョッキの下部適所に点滅回路や電源を収納するポケットを設ければよい。
【００１２】
また、上記発光標識体をヘルメットに取付けるには、一対の面ファスナーを用い、その一方をヘルメットの外周に接着し、他方を補強用裏側シートの裏面に取付けるようにし、ヘルメットの内部空間に点滅回路や電源を収納するようにすればよい。
【００１３】
また、上記発光標識体を旗の表面に取付ける場合は、旗の表面に縫い付けるようにすればよく、ポールに設けた袋に点滅回路や電源を収納する。
【００１４】
更に、上記発光標識体をＥＴＣゲートの開閉バーに取付ける場合は、開閉バーに直接取付けたり、開閉バーに適宜標識板を固定し、この標識板に発光標識体を貼り付けるようにすればよい。
【００１５】
上記発光標識体は、点滅回路のスイッチをオンすると、各ＬＥＤ素子が点滅するが、ＬＥＤ素子は発光色の異なる配置になり、しかも、発光色の異なるものが交互に点滅することで、単色の点滅に比べて派手な発光状態をつくることができ、遠くからでも目に付きやすくなる。
【発明の効果】
【００１６】
この発明によると、反射ベルトの表面側に発光色の異なる複数の超高輝度薄型チップのＬＥＤ素子を配置し、この各ＬＥＤ素子を交互に点滅させるようにしたので、単色の点滅に比べて赤、青、白等の異なる発光が交互に点滅することで派手な発光状態となり、遠くからでもドライバーの視認が容易で目に付き易くなるため、この発光標識体を用いることにより、安全衣類や各種安全具の安全性向上が図れ、安全衣類や各種安全具に対して広範に用いることができる。
【００１７】
また、各ＬＥＤ素子の電気的な接続にフレキシブル基板を用いたので、配線構造が強度を持ち、引っ張りや曲げ等の外力が加わっても断線するようなことがなく、かつ、保護シートがＬＥＤ素子を外部衝撃や雨水から保護しているので、耐久性の向上が図れることになる。
【００１８】
更に、上記発光標識体を用いることにより、ドライバーの視認性が向上し、暗所や夜間において、安全性の確保に優れた発光安全着衣、発光安全ヘルメット、発光安全旗、発光安全ゲート装置を提供することができる。
【発明を実施するための最良の形態】
【００１９】
以下、この発明の実施の形態を添付図面に基づいて説明する。
【００２０】
図１と図２のように、発光標識体１は、反射ベルト２と、この反射ベルト２の表面側に配置した発光色の異なる複数の超高輝度薄型チップのＬＥＤ素子３と、前記反射ベルト２の背面側に配置したフレキシブル基板４と、前記各ＬＥＤ素子３を点滅させるための点滅回路５及び電源６（図３参照）と、前記反射ベルト２の表面側に重ねた透明な保護シート７と背面側にフレキシブル基板４を挟むようにして重ねた裏側シート８とからなり、上記保護シート７と反射ベルト２及び補強用の裏側シート８の両側縁が飾り縁材９と共に縫着によって結合された構造になっている。
【００２１】
上記反射ベルト２は、ベース布の表面に黄色等の反射膜を設けた長い帯状となり、その長さ方向に沿って、各ＬＥＤ素子３の取付け位置に角形の孔１０が所定間隔で設けられている。
【００２２】
上記各超高輝度薄型チップのＬＥＤ素子３は、例えば、発光色が赤色、青色、白色等の三種類を用い、これが交互の配置となるようフレキシブル基板４に取付け、各ＬＥＤ素子３を反射ベルト２の対応する孔１０に嵌め込んで表面側に露出させ状態で、フレキシブル基板４は反射ベルト２の裏面に貼り付け固定されている。
【００２３】
フレキシブル基板４は、例えば、長さ方向に沿ってＬＥＤ素子３の発光色の種類数に等しい三本の配線４ａとアース配線４ｂを有し、同色のＬＥＤ素子３は共通の配線４ａとアース配線４ｂに接続され、このフレキシブル基板４の一端側で配線４ａ、４ｂと接続した点滅回路（ＬＥＤコントロールユニット）５は、ケース内に収納した電池による電源６からの通電をオン、オフするスイッチ５ａと発信器を備え、スイッチ５ａをオン状態にすると、予め発信器に点灯時間と消灯時間を設定したパルスの発信により、発光色の異なるＬＥＤ素子３を交互に順次又はランダムに点滅させるようになっている。
【００２４】
なお、ＬＥＤ素子３の発光色の種類は三種類に限定されるものではなく、それ以上の種類にしてもよく、種類が増えれば、一本の配線で二色のＬＥＤ素子３を同時に点滅させるようにすればよい。
【００２５】
上記発光標識体１は、同じ幅の帯状となる保護シート７と反射ベルト２及び補強用裏側シート８を重ね合わせ、その両側縁を縫い合わせることによって帯状に形成され、透明の保護シート７は軟質の合成樹脂シートを用い、ＬＥＤ素子３やフレキシブル基板４を外部衝撃や雨水から保護している。
【００２６】
図３乃至図５は、上記発光標識体１の使用例を示し、図３（ａ）、（ｂ）の例は、身体に装着する着衣として安全チョッキ１１を示し、上下に帯状となる両側の前身頃と後身頃の表面で長さ方向に沿って発光標識体１を縫い付け、安全チョッキ１１の下部適所に点滅回路５や電源６を収納するポケットを設けている。
【００２７】
図４（ａ）の例は、発光安全ヘルメット１２を示し、発光標識体１をヘルメット１２に取付けるには、一対の面ファスナー１３を用い、その一方をヘルメット１２の外周に巻き付けて接着し、他方を補強用裏側シート８の裏面に取付け、ヘルメット１２に対して面ファスナー１３で着脱可能に取付け、図示省略したが、ヘルメット１２の内部空間に点滅回路５や電源６を収納すればよい。
【００２８】
図４（ｂ）の例は、発光安全旗１４を示し、旗１４の表面に発光標識体１をクロス状の配置で縫い付けるようにして取付け、旗１４を取付けたポール１３ａに図示省略したが点滅回路５や電源６を収納する袋を取付けるようにすればよい。
【００２９】
図５の例は、発光安全ゲート装置１５を示し、発光標識体１をＥＴＣゲートの開閉バー１６に直接取付けたり、開閉バー１６に角形や円形の適宜標識板を垂直に固定し、この標識板の表面に発光標識体１をクロス状の配置で貼り付けるようにする。
【００３０】
この発明の発光標識体１は、上記のような構成であり、点滅回路５のスイッチ５ａをオンすると、点滅回路５の発信器のパルスによって、各超高輝度薄型チップのＬＥＤ素子３が予め設定したパターンの間隔で点滅するが、発光標識体１に並べて取付けた各ＬＥＤ素子３は発光色の異なる配置になり、しかも、発光色の異なる赤色、青色、白色等ものが同時や交互、ランダムに点滅することで、単色の点滅に比べて派手な発光状態をつくることができ、暗所や夜間において、ドライバーは遠くからでも目に付きやすくなる。
【００３１】
従って、この発光標識体１を前身頃と後身頃に縫い付けた安全チョッキ１１を着用し、交通整理や検問を行う警察官や交通整理作業員、工事現場で働く作業員やガードマン等が着用すると、発光標識体１に取付けた各ＬＥＤ素子３の派手な点滅発光によって暗所や夜間における存在をドライバーに対して明確に告知することができ、これによって交通事故等を未然に防止することができる。
【００３２】
また、上記発光標識体１を外周に取付けた発光安全ヘルメット１２は、これを着用して各ＬＥＤ素子３を点滅発光させれば、暗所や夜間における存在をドライバーに対して明確に告知することで、学童の自転車通学や交通整理作業員、工事現場で働く作業員やガードマン等を交通事故から守ることができる。
【００３３】
更に、上記発光標識体１を取付けた発光安全旗１４は、これを振ったり掲げるようにすれば、各ＬＥＤ素子３の点滅発光により、暗所や夜間における存在をドライバーに対して明確に視認させることができ、暗所や夜間における交通の規制指示や誘導等の作業の安全性を向上させることができる。
【００３４】
また、上記発光標識体１をＥＴＣゲートの開閉バー１６に取付けた発光安全ゲート装置１５は、開閉バー１６によるゲートの閉鎖状態を発光標識体１に取付けた各ＬＥＤ素子３の派手な点滅発光によって表示することができ、暗所や夜間におけるゲートの閉鎖をドライバーに対して明確に告知することで、自動車で開閉バー１６を破壊するという事故を未然に防止することができる。
【００３５】
なお、上記発光標識体１は、上記に例示した用途に限定されるものではなく、例えば、腕章やベルト等、暗所や夜間において安全の確保を必要とする部分で用いる部材や場所に取付けて使用することができる。
【図面の簡単な説明】
【００３６】
【図１】この発明に係る発光標識体の構造を示す一部を切り欠いた斜視図
【図２】（ａ）は発光標識体の正面図、（ｂ）は（ａ）の矢印ｂ−ｂの拡大した縦断面図
【図３】（ａ）はこの発明に係る発光標識体を用いた安全チョッキの正面から見た斜視図、（ｂ）は同背面から見た斜視図
【図４】（ａ）はこの発明に係る発光標識体を用いた発光安全ヘルメットの側面図、（ｂ）はこの発明に係る発光標識体を用いた発光安全旗の正面図
【図５】（ａ）はこの発明に係る発光標識体を用いた発光安全ゲート装置の正面図、（ｂ）は同上の開閉バーの部分を示す拡大した正面図
【符号の説明】
【００３７】
１        発光標識体
２        反射ベルト
３        超高輝度薄型チップのＬＥＤ素子
４        フレキシブル基板
５        点滅回路
６        電源
７        保護シート
８        裏側シート
９        飾り縁材
１０      孔
１１      安全チョッキ
１２      発光安全ヘルメット
１３      面ファスナー
１４      発光安全旗
１５      発光安全ゲート装置
１６      開閉バー
【図１】
2008223167.tif 000003
【図２】
2008223167.tif 000004
【図３】
2008223167.tif 000005
【図４】
2008223167.tif 000006
【図５】
2008223167.tif 000007